(57)【要約】【課題】配管に対する周方向溶接時の溶接変形を防ぐことができ、配管に溶接変形が生じたとしても、配管から容易に引き出し得る配管溶接用治具及び配管の溶接方法を提供する。【解決手段】配管Ｗ内に挿入して用いられる配管溶接用治具１であって、配管Ｗの軸心の周囲に径方向に移動可能に配置され且つ配管Ｗの一端側から他端側にかけて円弧長が漸次減少する先細り形状の複数の一方側張り出し体３と、配管Ｗの軸心の周囲に径方向に移動可能で且つ一方側張り出し体４と円周方向に交互に配置され、配管Ｗの他端側から一端側にかけて円弧長が漸次減少する先細り形状の複数の他方側張り出し体４と、両張り出し体３，４の各隣接斜面３ａ，４ａ同士を摺接させて重ね合わせるべく両張り出し体３，４を配管Ｗの軸心に沿って相対的に移動させて、両張り出し体３，４を配管Ｗの内周面Ｗａにそれぞれ当接させる張り出し体駆動機構が設けられている。【選択図】図１
2014076474.tif 000002
【特許請求の範囲】
【請求項１】
配管に周溶接を行う際に、該配管内に挿入して用いられる配管溶接用治具であって、
前記配管の軸心の周囲に該配管の径方向に移動可能に配置され且つ前記配管の一端側から他端側にかけて円弧長が漸次減少する先細り形状の複数の一方側張り出し体と、
前記配管の軸心の周囲に該配管の径方向に移動可能で且つ前記複数の一方側張り出し体と円周方向に交互に配置され、前記配管の他端側から一端側にかけて円弧長が漸次減少する先細り形状の複数の他方側張り出し体と、
先細り形状の前記一方側張り出し体及び他方側張り出し体の各隣接斜面同士を摺接させて重ね合わせるべく両張り出し体を前記配管の軸心に沿って相対的に移動させて、該複数の一方側張り出し体及び複数の他方側張り出し体を前記配管の内周面にそれぞれ当接させる張り出し体駆動機構が設けられている
ことを特徴とする配管溶接用治具。
【請求項２】
前記張り出し体駆動機構は、前記配管の軸心上に配置されるねじ部と、前記ねじ部にねじ込まれたナット部と、前記ねじ部を前記ナット部に対して回転させて該ナット部を前記配管の軸心に沿って移動させる操作部を具備し、前記操作部は前記一方側張り出し体側に位置していると共に、前記ナット部は前記他方側張り出し体に連結されている請求項１に記載の配管溶接用治具。
【請求項３】
先細り形状の前記一方側張り出し体及び他方側張り出し体の互いに摺接する各隣接斜面間には、両隣接斜面同士の摺接を案内するガイドキーが配置されている請求項１又は２に記載の配管溶接用治具。
【請求項４】
前記張り出し体駆動機構のねじ部の中心には、冷却水流路が形成されている請求項２又は３に記載の配管溶接用治具。
【請求項５】
母材ワークの貫通孔に挿入した配管に対して周溶接を行うに際して、請求項１〜４のいずれかに記載の配管溶接用治具を前記母材ワークの貫通孔から露出する前記配管の一端側から挿入し、
続いて、前記張り出し体駆動機構により先細り形状の前記一方側張り出し体及び他方側張り出し体の各隣接斜面同士を摺接させて重ね合わせるべく両張り出し体を前記配管の軸心に沿って相対的に移動させて、該複数の一方側張り出し体及び複数の他方側張り出し体を前記配管の内周面にそれぞれ当接させた後、配管に対して周溶接を行う
ことを特徴とする配管の溶接方法。
【発明の詳細な説明】
【技術分野】
【０００１】
本発明は、例えば、母材ワークの貫通孔に挿入した配管に周溶接を行うに際して、配管に溶接変形が生じるのを防止するために用いられる配管溶接用治具及び配管の溶接方法に関するものである。
【背景技術】
【０００２】
従来、上記した配管溶接用治具としては、例えば、特許文献１に記載されたものがある。この配管溶接用治具は、一端に円形状のフランジを有する固定半管筒と、この固定半管筒に対向して設けられて、固定半管筒とともに完全円管部を形成する浮動半管筒と、これらの半管筒間に挿入されて、円形状のフランジを貫通するねじ部を有する楔軸と、ねじ部にねじ込まれて楔軸を締め上げるナットを備えており、完全円管部が配管の内径よりも若干小さい外径となるように形成されている。
【先行技術文献】
【特許文献】
【０００３】
【特許文献１】特開平10-029089号
【発明の概要】
【発明が解決しようとする課題】
【０００４】
ところが、上記した従来の配管溶接用治具において、完全円管部を形成する固定半管筒及び浮動半管筒は、両者間に挿入された楔軸の作用により配管の内周面に押し付けられて拘束されるので、配管に対する周方向溶接時における変形を概ね防止することはできるものの、配管が僅かでも変形してしまった場合には、固定半管筒及び浮動半管筒が配管に対して、いわゆるかじりつき状態となって、配管から引き出すことが困難になる可能性があるという問題を有しており、この問題を解決することが従来の課題となっていた。
【０００５】
本発明は、上記した従来の課題に着目してなされたもので、配管に対する周方向溶接時における溶接変形を防ぐことができるのは勿論のこと、例え、配管に溶接変形が生じたとしても、配管から容易に引き出すことが可能である配管溶接用治具及び配管の溶接方法を提供することを目的としている。
【課題を解決するための手段】
【０００６】
本発明の請求項１に係る発明は、配管に周溶接を行う際に、該配管内に挿入して用いられる配管溶接用治具であって、前記配管の軸心の周囲に該配管の径方向に移動可能に配置され且つ前記配管の一端側から他端側にかけて円弧長が漸次減少する先細り形状の複数の一方側張り出し体と、前記配管の軸心の周囲に該配管の径方向に移動可能で且つ前記複数の一方側張り出し体と円周方向に交互に配置され、前記配管の他端側から一端側にかけて円弧長が漸次減少する先細り形状の複数の他方側張り出し体と、先細り形状の前記一方側張り出し体及び他方側張り出し体の各隣接斜面同士を摺接させて重ね合わせるべく両張り出し体を前記配管の軸心に沿って相対的に移動させて、該複数の一方側張り出し体及び複数の他方側張り出し体を前記配管の内周面にそれぞれ当接させる張り出し体駆動機構が設けられている構成としたことを特徴としており、この構成の配管溶接用治具を前述した従来の課題を解決するための手段としている。
【０００７】
本発明の請求項２に係る配管溶接用治具において、前記張り出し体駆動機構は、前記配管の軸心上に配置されるねじ部と、前記ねじ部にねじ込まれたナット部と、前記ねじ部を前記ナット部に対して回転させて該ナット部を前記配管の軸心に沿って移動させる操作部を具備し、前記操作部は前記一方側張り出し体側に位置していると共に、前記ナット部は前記他方側張り出し体に連結されている構成としている。
【０００８】
本発明の請求項３に配管溶接用治具において、先細り形状の前記一方側張り出し体及び他方側張り出し体の互いに摺接する各隣接斜面間には、両隣接斜面同士の摺接を案内するガイドキーが配置されている構成とし、本発明の請求項４に配管溶接用治具において、前記張り出し体駆動機構のねじ部の中心には、冷却水流路が形成されている構成としている。
【０００９】
一方、本発明の請求項５に係る配管の溶接方法は、母材ワークの貫通孔に挿入した配管に対して周溶接を行うに際して、請求項１〜４のいずれかに記載の配管溶接用治具を前記母材ワークの貫通孔から露出する前記配管の一端側から挿入し、続いて、前記張り出し体駆動機構により先細り形状の前記一方側張り出し体及び他方側張り出し体の各隣接斜面同士を摺接させて重ね合わせるべく両張り出し体を前記配管の軸心に沿って相対的に移動させて、該複数の一方側張り出し体及び複数の他方側張り出し体を前記配管の内周面にそれぞれ当接させた後、配管に対して周溶接を行う構成としている。
【００１０】
本発明に係る配管溶接用治具において、配管の軸心の周囲に交互に配置される先細り形状の一方側張り出し体及び他方側張り出し体の各個数はとくに限定しないが、製作の容易さ及び動作の確実性を考慮して、３個ずつ交互に配置することが望ましい。
【００１１】
本発明に係る配管溶接用治具及び配管の溶接方法では、例えば、圧力容器の半球殻状を成す鏡板の貫通孔に対して、配管を管台として傾斜させた状態で周溶接する場合、まず、鏡板の貫通孔から露出する配管の一端側から配管溶接用治具を挿入する。
【００１２】
続いて、張り出し体駆動機構を動作させて、先細り形状の一方側張り出し体及び他方側張り出し体の互いに摺接する各隣接斜面同士が重なるように、両張り出し体を配管の軸心に沿って相対的に移動させると、複数の一方側張り出し体及び複数の他方側張り出し体が配管の径方向に移動して内周面にそれぞれ当接する。
【００１３】
そして、複数の一方側張り出し体及び複数の他方側張り出し体が配管の内周面にそれぞれ当接した状態で配管に対して周溶接を行えば、配管に溶接変形が生じることがほとんどなく、したがって、鏡板に対して配管が管台として傾くことなく形成されることとなる。
【００１４】
この際、張り出し体駆動機構として、請求項２に係る構成を採用すれば、配管の一端側に操作部を位置させて回転操作することで、ナット部を他方側張り出し体とともに配管の軸心に沿って一方側張り出し体に向けて移動させ得るので、複数の一方側張り出し体及び複数の他方側張り出し体を配管の内周面に当接させる作業が容易なものとなる。
【００１５】
また、先細り形状の一方側張り出し体及び他方側張り出し体の互いに摺接する各隣接斜面間に、両隣接斜面同士の摺接を案内するガイドキーを配置する構成とすると、先細り形状の一方側張り出し体及び他方側張り出し体の相対移動が円滑に成されることとなり、その結果、複数の一方側張り出し体及び複数の他方側張り出し体を配管の内周面に当接させる作業が滞りなく成されることとなる。
【００１６】
さらに、張り出し体駆動機構のねじ部の中心に、冷却水流路を形成する構成とすると、配管内への冷却水の供給が簡単且つ確実に成されることとなる。
【００１７】
ここで、この配管溶接用治具では、先細り形状の一方側張り出し体及び他方側張り出し体の軸心方向の相対的な移動を一方側張り出し体及び他方側張り出し体の各隣接斜面同士の摺接により、径方向の移動に変換するようにしているので、例えば、配管に変形が生じたとしても、一方側張り出し体及び他方側張り出し体の少なくともいずれかを軸心方向に微動させれば、両張り出し体が配管の内周面からそれぞれ離間することとなり、配管から容易に引き出し得ることとなる。
【発明の効果】
【００１８】
本発明に係る配管溶接用治具では、上記した構成としているので、配管に対する周方向溶接時における溶接変形を防ぐことができるのは言うまでもなく、例え、配管に溶接変形が発生したとしても、配管から容易に引き出すことが可能であるという非常に優れた効果がもたらされる。
【図面の簡単な説明】
【００１９】
【図１】本発明の一実施例に係る配管溶接用治具の配管に対する設置要領説明図である。
【図２】図１におけるＡ−Ａ線位置に基づく断面説明図である。
【図３】図１に示した配管溶接用治具を配管に挿入する状態の側面説明図である。
【図４】図１に示した配管溶接用治具を配管に挿入した状態の斜視説明図である。
【発明を実施するための形態】
【００２０】
以下、本発明を図面に基づいて説明する。
図１〜図４は、本発明の一実施例に係る配管溶接用治具を示している。
【００２１】
図１に示すように、この配管溶接用治具１は、圧力容器の半球殻状を成す鏡板Ｃの貫通孔Ｃａに対して、配管Ｗを管台として傾斜させた状態で周溶接を行って溶接部Ｃｂを形成する場合に用いられる治具であり、全体で配管Ｗに挿入される筒状を成している。
【００２２】
この配管溶接用治具１は、図２にも示すように、配管Ｗの軸心の周囲に径方向に移動可能に配置された３個の一方側張り出し体３と、配管Ｗの軸心の周囲に径方向に移動可能に配置された３個の他方側張り出し体４を備えている。
一方側張り出し体３は、配管Ｗの一端側（図１左側）から他端側（図１右側）にかけて円弧長が漸次減少する先細り形状を成しており、他方側張り出し体４は、配管Ｗの他端側から一端側にかけて円弧長が漸次減少する先細り形状を成しており、これらの張り出し体３，４は円周方向に交互に配置されている。
【００２３】
この場合、一方側張り出し体３は、配管Ｗの雌ねじ部Ｗｂにねじ込まれる回転止めリング５及びこれに連結される回転止めバー６により、回転及び軸心方向への移動が規制されており、他方側張り出し体４は、図３に示すように、一方側張り出し体３に対して接近離間可能となっている。
【００２４】
先細り形状の一方側張り出し体３及び他方側張り出し体４の各隣接斜面３ａ，４ａは、他方側張り出し体４の一方側張り出し体３に対する接近離間に伴って互いに摺接するようになっており、隣接斜面３ａ，４ａ間に互いの摺接を案内するガイドキー７を介在させることで、両張り出し体３，４が相互に円筒形状を維持しつつ円滑に相対移動することができるようになっている。
【００２５】
また、この配管溶接用治具１は、一方側張り出し体３及び他方側張り出し体４を相対的に移動させる張り出し体駆動機構を有している。
この張り出し体駆動機構は、配管Ｗの軸心上に配置されるねじ部２と、このねじ部２にねじ込まれたナット部１２と、ねじ部２をナット部１２に対して回転させて配管Ｗの軸心に沿って移動させるナット状の操作部１３を具備しているほか、この操作部１３と一方側張り出し体３との間に配置された加圧フランジ１４，ワッシャ１５，金属ワッシャ１６，皿バネ１７を具備している。
【００２６】
ナット状の操作部１３は、配管Ｗの一端側、すなわち、一方側張り出し体３側に配置され、ナット部１２は、配管Ｗの他端側、すなわち、他方側張り出し体４側に配置され、ナット部１２と他方側張り出し体４とは、ナット部１２の円形フランジ１２ａに形成された突起１２ｂを他方側張り出し体４に形成された凹部４ｂに係合させることで互いに連結されている。
【００２７】
つまり、張り出し体駆動機構では、操作部１３を回転操作することで、先細り形状の一方側張り出し体３及び他方側張り出し体４の各隣接斜面３ａ，４ａ同士が重なるように摺接させて、すなわち、両張り出し体３，４を配管Ｗの軸心に沿って相対的に移動させて、複数の一方側張り出し体３及び複数の他方側張り出し体４を配管Ｗの内周面Ｗａにそれぞれ当接させるようになっている。
【００２８】
なお、操作部１３の回転操作は、例えば、まわり止めフランジ２４を介して配管Ｗの一端側にレンチ２０をセットし、このレンチ２０のパイプ２２の先端に位置するナット嵌合ブロック２１を操作部１３に嵌合することで、ハンドル２３によって行うことができる。
【００２９】
張り出し体駆動機構のねじ部２の中心には冷却水流路２ａが形成されており、配管Ｗ内への冷却水の供給を簡単且つ確実に行うことができるようになっている。
【００３０】
上記した配管溶接用治具１を用いて、圧力容器の半球殻状を成す鏡板Ｃの貫通孔Ｃａに対して、配管Ｗを管台として傾斜させた状態で周溶接するに際しては、まず、鏡板Ｃの貫通孔Ｃａから露出する配管Ｗの一端側から配管溶接用治具１を挿入する。
【００３１】
次いで、まわり止めフランジ２４を介して配管Ｗの一端側にレンチ２０をセットし、このレンチ２０のナット嵌合ブロック２１を操作部１３に嵌合した後、ハンドル２３によって張り出し体駆動機構の操作部１３を回転操作して、先細り形状の一方側張り出し体３及び他方側張り出し体４の互いに摺接する各隣接斜面３ａ，４ａ同士が重なるように、両張り出し体３，４を配管Ｗの軸心に沿って相対的に移動させると、複数の一方側張り出し体３及び複数の他方側張り出し体４が配管Ｗの径方向に移動して内周面にそれぞれ当接する。
【００３２】
そして、配管Ｗの一端側からレンチ２０を取り外し、図４に示すように、このレンチ２０の代わりに溶接機取り付けシール台座２５を配管Ｗの雌ねじ部Ｗｂにねじ込んだ後、複数の一方側張り出し体３及び複数の他方側張り出し体４が内周面Ｗａにそれぞれ当接している状態の配管Ｗに対して周溶接を行えば、配管Ｗに溶接変形が生じることがほとんどなく、すなわち、鏡板Ｃに対して配管Ｗが管台として傾くことなく形成されることとなる。
【００３３】
上記した配管溶接用治具１では、配管Ｗの軸心上に配置されるねじ部２と、このねじ部２にねじ込まれたナット部１２と、ねじ部２をナット部１２に対して回転させて移動させる操作部１３を具備した張り出し体駆動機構を採用しているので、配管Ｗの一端側で操作部１３を回転操作することで、ナット部１２を他方側張り出し体４とともに配管Ｗの軸心に沿って一方側張り出し体３に向けて移動させ得ることとなり、その結果、複数の一方側張り出し体３及び複数の他方側張り出し体４を配管Ｗの内周面Ｗａに当接させる作業が容易なものとなる。
【００３４】
また、上記した配管溶接用治具１では、先細り形状の一方側張り出し体３及び他方側張り出し体４の互いに摺接する各隣接斜面３ａ，４ａ間に、両隣接斜面３ａ，４ａ同士の摺接を案内するガイドキー７を配置しているので、先細り形状の一方側張り出し体３及び他方側張り出し体４の相対移動が円滑に成されることとなり、その結果、複数の一方側張り出し体３及び複数の他方側張り出し体４を配管Ｗの内周面Ｗａに当接させる作業が滞りなく成されることとなる。
【００３５】
ここで、この配管溶接用治具１では、先細り形状の一方側張り出し体３及び他方側張り出し体４の軸心方向の相対的な移動を一方側張り出し体３及び他方側張り出し体４の各隣接斜面３ａ，４ａ同士の摺接によって、径方向の移動に変換するようにしているので、例えば、配管Ｗに変形が生じたとしても、他方側張り出し体４を軸心方向に微動させれば、両張り出し体３，４が配管Ｗの内周面Ｗａからそれぞれ離間することとなり、配管Ｗから容易に引き出し得ることとなる。
【００３６】
本発明に係る配管溶接用治具及び配管の溶接方法の構成は、上記した実施例の構成に限定されるものではない。
【符号の説明】
【００３７】
１  配管溶接用治具
２  ねじ部（張り出し体駆動機構）
２ａ  冷却水流路
３  一方側張り出し体
３ａ，４ａ  隣接斜面
４  他方側張り出し体
７  ガイドキー
１２  ナット部（張り出し体駆動機構）
１３  操作部（張り出し体駆動機構）
Ｃ  鏡板（母材ワーク）
Ｃａ  貫通孔
Ｗ  配管
Ｗａ  配管の内周面
【図１】
2014076474.tif 000003
【図２】
2014076474.tif 000004
【図３】
2014076474.tif 000005
【図４】
2014076474.tif 000006